(57)【特許請求の範囲】
【請求項１】
上方が開放され、取り込むべき媒体を収容する収容空間が内部に形成された筐体と、
前記筐体内における前記収容空間の下側に設けられた取付空間と、
前記取付空間に対し着脱可能に形成され、前記媒体よりも小さい異物を収容する異物収容空間を内部に有する異物収容器と、
前記異物収容器の上面に前記異物を落下させる落下孔を形成するように設けられ、前記異物収容器が前記取付空間に取り付けられた際に、前記収容空間内の前記媒体を支持する支持体と
を具えることを特徴とする媒体取込装置。
【請求項２】
前記収容空間内で該収容空間の底面に沿って前記媒体を移動させる移動体
をさらに具え、
前記異物収容器は、前記支持体の上面部分が前記移動体の移動方向に沿って形成されている
ことを特徴とする請求項１に記載の媒体取込装置。
【請求項３】
前記異物収容器は、その側面における上端又は上端近傍から前記筐体側へ突出する突起をさらに具える
ことを特徴とする請求項２に記載の媒体取込装置。
【請求項４】
前記異物収容器は、前記支持体の延長線上に前記突起が形成されている
ことを特徴とする請求項３に記載の媒体取込装置。
【請求項５】
前記支持体は、
前記移動方向と直交する直交方向に関する前記落下孔の孔径が、前記収容空間に収容される前記媒体のうち前記直交方向の長さが最も短い最短媒体における、該直交方向の長さの１／ｎ（ただしｎは２以上の自然数）よりも短くなるよう配置されている
ことを特徴とする請求項２に記載の媒体取込装置。
【請求項６】
前記媒体の取込時に前記収容空間内の底面に沿って移動させるべき移動方向と直交する直交方向に関して前記収容空間の範囲を規定し、前記筐体に対する取付位置が移動可能である可動範囲規定部と、
前記取付空間の前記直交方向に隣接し、且つ前記可動範囲規定部の可動範囲における下方の空間であって、前記異物を案内する案内空間と、
前記案内空間の下方に設けられ前記取付空間側が低い傾斜部と
をさらに具え、
前記異物収容器は、前記案内空間に隣接する側面に、前記傾斜部よりも上側の空間と前記異物収容空間とを連通させる貫通孔が形成されている
ことを特徴とする請求項１に記載の媒体取込装置。
【請求項７】
前記異物収容器は、
前記筐体に設けられた被係合部と係合することにより該筐体に対する位置を固定する係合体と、
前記筐体に対する着脱方向と交差する方向に前記係合体を移動又は回動させる係合変位部と
をさらに具えることを特徴とする請求項１に記載の媒体取込装置。
【請求項８】
上方が開放され、取り込むべき媒体を収容する収容空間が内部に形成された筐体と、
前記筐体内における前記収容空間の下側に設けられた取付空間と、
前記取付空間に対し着脱可能に形成され、前記媒体よりも小さい異物を収容する異物収容空間を内部に有する異物収容器と、
前記異物収容器の上面に前記異物を落下させる落下孔を形成するように設けられ、前記異物収容器が前記取付空間に取り付けられた際に、前記収容空間内の前記媒体を支持する支持体と、
前記収容空間に収容された前記媒体を取り込む取込部と、
前記取込部を制御する制御部と
を具えることを特徴とする媒体処理装置。
【請求項９】
前記取付空間に前記異物収容器が装着されたか否かを検知する検知部
をさらに具え、
前記制御部は、
前記検知部により前記異物収容器が装着されていないことを検知した場合、当該異物収容器が装着されるまで前記取込部による前記媒体の取込動作を待機するよう制御する
ことを特徴とする請求項８に記載の媒体処理装置。
【発明の詳細な説明】
【技術分野】
【０００１】
本発明は媒体取込装置及び媒体処理装置に関し、例えば金融機関の窓口に設置される紙幣処理装置（いわゆるテラーマシン）に適用して好適なものである。
【背景技術】
【０００２】
従来、紙幣処理装置としては、金融機関の窓口において窓口担当の職員（いわゆるテラー）等の操作者に操作されることにより、顧客との間で現金の入金や出金等のような種々の取引処理を行うものが広く普及している。
【０００３】
この紙幣処理装置は、例えば紙幣が入金される入金口や、紙幣を出金する出金口等を有している。このうち入金口は、紙幣を収容するための収容空間を形成しており、操作者によりこの収容空間に投入された紙幣を１枚ずつに分離しながら搬送部に受け渡すようになされている。
【０００４】
また入金口の収容空間には、誤って紙幣以外の硬貨やクリップのような異物が投入される恐れがある。このため入金部のなかには、収容空間に投入された異物を紙幣とは別に回収できるようになされたものも提案されている（例えば、特許文献１参照）。
【０００５】
例えば図１４（Ａ）に示す従来の紙幣処理装置１０１は、筐体１０２における上面の前端部近傍に入金口１１３が設けられると共に、筐体１０２における前面の中ほどに異物回収口１０２Ｅが形成されている。また入金口１１３の後方には、紙幣を出金するための出金口１１４が配置されている。
【０００６】
また紙幣処理装置１０１の入金口１１３内には、図１４（Ｂ）に側面図を示すように、紙幣を収容するための収容空間１３０Ｓが形成されている。収容空間１３０Ｓの下方には、異物案内部１５０が設けられている。異物案内部１５０の底面は、全体的に手前側が低くなるように傾斜している。因みに収容空間１３０Ｓの底部には、紙幣を保持したまま異物のみを落下させるような比較的大きな落下孔が複数形成されている。
【０００７】
このため紙幣処理装置１０１は、入金口１１３の収容空間１３０Ｓに誤って紙幣以外の異物が投入された場合、収容空間１３０Ｓの底部に設けられた落下孔から異物を落下させ、異物案内部１５０により前方へ滑降させて、異物回収口１０２Ｅから取り出させることができる。
【先行技術文献】
【特許文献】
【０００８】
【特許文献１】特開２００１−８４４２４号公報（図３）
【発明の概要】
【発明が解決しようとする課題】
【０００９】
ところで紙幣処理装置１０１については、出金口１１４の使用頻度が比較的高い場合が多く、このような出金口１１４を入金口１１３よりも前方に配置したいという要望もあった。
【００１０】
しかしながら紙幣処理装置１０１では、異物案内部１５０の構造上、入金口１１３を最も前方に配置する必要があるため、出金口１１４を前方に配置することが難しく、配置の自由度が低い、という問題があった。
【００１１】
本発明は以上の点を考慮してなされたもので、配置の自由度の高さと異物の誤投入への対処とを両立し得る媒体取込装置及び媒体処理装置を提案しようとするものである。
【課題を解決するための手段】
【００１２】
かかる課題を解決するため本発明の媒体取込装置においては、上方が開放され、取り込むべき媒体を収容する収容空間が内部に形成された筐体と、筐体内における収容空間の下側に設けられた取付空間と、取付空間に対し着脱可能に形成され、媒体よりも小さい異物を収容する異物収容空間を内部に有する異物収容器と、異物収容器の上面に異物を落下させる落下孔を形成するように設けられ、異物収容器が取付空間に取り付けられた際に、収容空間内の媒体を支持する支持体とを設けるようにした。
【００１３】
また本発明の媒体処理装置においては、上方が開放され、取り込むべき媒体を収容する収容空間が内部に形成された筐体と、筐体内における収容空間の下側に設けられた取付空間と、取付空間に対し着脱可能に形成され、媒体よりも小さい異物を収容する異物収容空間を内部に有する異物収容器と、異物収容器の上面に異物を落下させる落下孔を形成するように設けられ、異物収容器が取付空間に取り付けられた際に、収容空間内の媒体を支持する支持体と、収容空間に収容された媒体を取り込む取込部と、取込部を制御する制御部とを設けるようにした。
【００１４】
これにより、取付空間に異物収容器が装着された状態では、収容空間に収容された媒体の下部を異物収容器の支持体により支持して異物収容器内への落下を防止しながら、収容空間に誤って投入された異物を落下孔から異物収容器内へ落下させて収容することができる。また取付空間から収容空間を介して異物収容器を取り外させることで、異物を取り出させることができるため、取付空間の周囲に他の部品や空間を設ける必要が無い。
【発明の効果】
【００１５】
本発明によれば、取付空間に異物収容器が装着された状態では、収容空間に収容された媒体の下部を異物収容器の支持体により支持して異物収容器内への落下を防止しながら、収容空間に誤って投入された異物を落下孔から異物収容器内へ落下させて収容することができる。また取付空間から収容空間を介して異物収容器を取り外させることで、異物を取り出させることができるため、取付空間の周囲に他の部品や空間を設ける必要が無い。かくして本発明は、配置の自由度の高さと異物の誤投入への対処とを両立し得る媒体取込装置及び媒体処理装置を実現できる。
【図面の簡単な説明】
【００１６】
【図１】窓口における紙幣処理装置の配置を示す略線図である。
【図２】紙幣処理装置の外観構成を示す略線的斜視図である。
【図３】紙幣処理装置の内部構成を示す略線図である。
【図４】入金口の構成を示す略線的平面図である。
【図５】入金口の構成を示す略線的断面図である。
【図６】異物回収トレイの構成を示す略線的斜視図である。
【図７】異物回収トレイと最短紙幣との比較を示す略線図である。
【図８】異物回収トレイの構成及び装着の様子を示す略線的断面図である。
【図９】異物回収トレイの構成及び装着の様子を示す略線的断面図である。
【図１０】異物回収トレイの構成及び装着の様子を示す略線的断面図である。
【図１１】固定部の構成を示す略線図である。
【図１２】固定部による異物回収トレイの固定を示す略線図である。
【図１３】入金処理手順を示すフローチャートである。
【図１４】従来の紙幣処理装置の構成を示す略線図である。
【発明を実施するための形態】
【００１７】
以下、発明を実施するための形態（以下実施の形態とする）について、図面を用いて説明する。
【００１８】
［１．紙幣処理装置の構成］
図１に示すように、本実施形態による紙幣処理装置１は、金融機関の窓口７に設置される窓口用現金処理装置（いわゆるテラーマシン）であり、当該窓口７において顧客ＣＳと応対する窓口担当者等の操作者Ｍに操作されることにより、紙幣の入金処理や出金処理を行う。
【００１９】
窓口７は、図の中央において長手方向を左右に向けるように設置されたカウンタ８により、金融機関の職員でなる操作者Ｍ等が職務を行う領域（図の下側）と、来訪した顧客ＣＳが各種取引や手続きを行う領域（図の上側）とを区切っている。
【００２０】
カウンタ８上における各操作者Ｍとそれぞれ対峙する位置には、２台の端末装置３が設置されている。各端末装置３は、一般的なコンピュータ装置と同様、各種演算処理を行う演算処理部、各種情報を記憶する記憶部、キーボードやタッチパネル等でなる操作部、表示画面を表示する表示部、及び情報を送受信する通信処理部等を有している。
【００２１】
各端末装置３は、紙幣処理装置１とそれぞれ接続されており、操作者Ｍの操作に基づき、入金処理や出金処理の指示を生成して当該紙幣処理装置１へ送信する。これに応じて紙幣処理装置１は、この指示に基づいた入金処理や出金処理等の各種処理を実行する。紙幣処理装置１は、カウンタ８の下側にその後ろ側部分を潜り込ませると共に、椅子に座った２人の操作者Ｍの間に前側部分を位置させるように設置されている。
【００２２】
紙幣処理装置１は、図２に外観構成を示すように、全体として直方体状に形成された筐体１０の内部に制御部１１が設けられており、この制御部１１により全体を統括制御している。
【００２３】
制御部１１は、図示しないＣＰＵ（Central Processing Unit）を中心に構成されており、図示しないＲＯＭやフラッシュメモリ等から所定のプログラムを読み出して実行することにより、入金処理や出金処理等のような種々の処理を行う。また制御部１１は、内部にＲＡＭ（Random Access Memory）、ハードディスクドライブやフラッシュメモリ等でなる記憶部を有しており、この記憶部に種々の情報やプログラム等を記憶させる。
【００２４】
筐体１０の上面における前寄りの箇所には、操作者Ｍとの間で紙幣の授受を行うための入出金部１２が設けられている。入出金部１２は、窓口７（図１）において椅子に座って業務を行う操作者Ｍに操作されることが考慮され、周囲よりも上方へ突出すると共に、手前側が低くなるよう傾斜されている。
【００２５】
この入出金部１２には、手前側から後ろ側へ向かって、２個の出金口１４、入金口１３及び表示操作部１５が順次配置されており、当該表示操作部１５の左右に操作ボタン１６がそれぞれ配置されている。
【００２６】
なお以下では、紙幣処理装置１のうち表示操作部１５の表示内容を正しく読み取り得る正面側を前側とし、その反対を後側とし、前側から見た場合の左及び右をそれぞれ左側及び右側とし、さらに上側及び下側を定義して説明する。
【００２７】
入金口１３は、主に紙幣を入金する場合に使用され、操作者Ｍにより内部の入金空間に紙幣が投入されると、これを１枚ずつに分離して紙幣処理装置１内へ取り込む。出金口１４は、主に紙幣を出金する場合や、各種処理において操作者Ｍに返却すべき紙幣がある場合に使用され、紙幣処理装置１内から搬送されてきた紙幣を内部の集積空間に集積し、操作者Ｍに取り出させる。
【００２８】
表示操作部１５は、例えばタッチセンサが組み込まれた液晶ディスプレイ、いわゆるタッチパネルでなり、制御部１１の制御に基づき所定の操作メニュー、各種処理の進捗状況や結果等を表示して操作者Ｍに各種情報を通知すると共に、当該操作者Ｍの入力操作を受け付けて制御部１１へ伝達する。操作ボタン１６は、操作者Ｍによる押下操作を受け付け、これを制御部１１へ伝達する。
【００２９】
次に、図３を用いて、紙幣処理装置１の内部構成について説明する。紙幣処理装置１の筐体１０内には、上述した制御部１１の他、鑑別部２１、一時保留部２２、４個の紙幣カセット２３、リジェクトカセット２４及び搬送部２５が設けられている。
【００３０】
鑑別部２１は、入金口１３の後方下側に配置されている。この鑑別部２１は、搬送部２５により搬送されてくる紙幣の金種、真偽、正損、走行状態などを基に、取り扱うことのできる取扱可能紙幣であるか否かを鑑別し、また損傷の程度を基に再利用することができる再利用可能紙幣であるか否かを鑑別して、その鑑別結果を制御部１１へ送出する。
【００３１】
一時保留部２２は、出金口１４の前方下側に配置されており、搬送部２５により搬送されてきた紙幣を内部に一時的に保留し、また保留している紙幣を１枚ずつ搬送部２５へ送出する。
【００３２】
筐体１０内における下部には、最も前側にリジェクトカセット２４が配置されており、その後側に前方から後方へ向けて４個の紙幣カセット２３が順次並ぶように配置されている。
【００３３】
各紙幣カセット２３は、内部に紙幣を集積した状態で収納するようになされており、またそれぞれ金種が割り当てられている。この紙幣カセット２３は、搬送部２５から搬送されてくる紙幣（正常紙幣）を上下方向に重ねて内部に収納し、また収納している紙幣を１枚ずつ繰り出して搬送部２５へ受け渡す。リジェクトカセット２４は、鑑別部２１において再利用不可能と鑑別された紙幣（リジェクト紙幣）を内部に集積して収納する。
【００３４】
搬送部２５は、筐体１０内の各部を結ぶ搬送路Ｙに沿って配置された各種ローラやベルト及びこれらを駆動するためのギアやモータ等により構成されている。また搬送部２５は、搬送路の分岐点に図示しない搬送路切替機構を配置している。この搬送部２５は、制御部１１の制御に基づき、搬送路に沿って紙幣を搬送すると共に、搬送路切替機構により当該紙幣の搬送先を切り替える。因みに図３では、搬送部２５を構成する部品の一部のみを模式的に示している。
【００３５】
かかる構成により紙幣処理装置１は、端末装置３（図１）から入金指示を受け付けると、入金処理を行う。具体的に紙幣処理装置１の制御部１１は、操作者Ｍに紙幣を入金口１３へ投入させ、後述する分離処理によりこの紙幣を１枚ずつ分離して搬送部２５へ順次送り出す。搬送部２５は、この紙幣を搬送路Ｙに沿って鑑別部２１へ順次搬送する。
【００３６】
制御部１１は、鑑別部２１により各紙幣が取扱可能紙幣であるか否かを鑑別させ、その鑑別結果を基に進捗状況を表示操作部１５に表示しながら、取扱可能紙幣を搬送部２５により一時保留部２２へ搬送する一方、取り扱うことができない紙幣（リジェクト紙幣）を出金口１４へ搬送する。
【００３７】
その後制御部１１は、鑑別した紙幣の枚数等を操作者Ｍに確認させた上で、表示操作部１５に進捗状況等の情報を表示しながら、一時保留部２２に保留された取扱可能紙幣を搬送部２５により再度鑑別部２１へ搬送して金種及び損傷の程度を鑑別させる。このとき制御部１１は、再利用可能紙幣をその金種に応じた紙幣カセット２３に収納させ、再利用できない紙幣（リジェクト紙幣）をリジェクトカセット２４に収納させる。
【００３８】
また紙幣処理装置１は、端末装置３（図１）から出金指示を受け付けると、出金処理を行う。具体的に紙幣処理装置１の制御部１１は、まず２個の出金口１４のいずれか一方を選択出金口１４Ｓとして選択する。
【００３９】
次に制御部１１は、表示操作部１５に進捗状況等の情報を表示しながら、紙幣カセット２３から出金額に応じた金種及び枚数の紙幣を順次繰り出し、これを搬送部２５により選択出金口１４Ｓへ順次搬送させる。その後制御部１１は、全ての紙幣を選択出金口１４Ｓへ搬送すると、紙幣を操作者Ｍに取り出させる。
【００４０】
このように紙幣処理装置１は、入金処理において入金口１３に紙幣を投入させ、これを１枚ずつに分離して取り込むようになっている。
【００４１】
［２．入金口の構成］
入金口１３は、図４及び図５（Ａ）に示すように、筐体３０内に紙幣を投入させるための収容空間３０Ｓが形成されている。因みに図４は平面図を表しており、図５（Ａ）は図４のＡ１−Ａ２断面図において、後述する異物回収トレイ５０を取り外した状態を表している。
【００４２】
収容空間３０Ｓは、左右方向に長い直方体状に形成されると共に、上方が開放されている。この収容空間３０Ｓには、整然と重ねられた複数の紙幣が、紙面を前後に向けると共に長手方向を左右に向けた状態で投入される。また収容空間３０Ｓは、図５（Ａ）に示したように、その底面３０Ｂが水平ではなく、前側が低く後側が高くなるように傾斜されている。前後左右の各側面は、この底面３０Ｂに対しほぼ垂直に形成されている。
【００４３】
さらに収容空間３０Ｓにおける後下方には、下方へ紙幣を取り込むための取込口３０Ｅが形成されている。この取込口３０Ｅは、収容空間３０Ｓの底面３０Ｂにおける後端近傍部分が下方へ向けて湾曲された部分と、当該収容空間３０Ｓの後面３０Ｃにおける下端部分が下方へ延長された部分とにより挟まれている。このため取込口３０Ｅは、左右方向には十分に長い（広い）ものの、前後方向に関しては下方へ進むに連れて短く（狭く）なっている。
【００４４】
収容空間３０Ｓの左右には、可動側板３１及び３２が取り付けられている。可動側板３１は、その右側面３１Ａにより収容空間３０Ｓの左端を規定している。可動側板３１の上面における前後それぞれには、係合部３１Ｂが設けられている。係合部３１Ｂは、前後の側辺が所定間隔ごとに切削されることにより、前方向又は後方向へ向けた複数の離散的な突起が形成されている。
【００４５】
可動側板３１は、筐体３０側に形成された被係合部３０Ｇに係合部３１Ｂのいずれかの突起を係合させることにより、筐体３０に対する取付位置を固定させる。また可動側板３１は、被係合部３０Ｇに対し係合部３１Ｂの異なる突起を係合させることにより、筐体３０に対する取付位置を左右方向に変化させることができる。
【００４６】
可動側板３２は、可動側板３１と左右対称に形成されており、その左側面３２Ａにより収容空間３０Ｓの右端を規定している。また可動側板３２は、可動側板３１と同様、係合部３１Ｂと同様に形成された係合部３２Ｂのいずれかの突起を筐体３０側の被係合部３０Ｇと係合させることにより、当該筐体３０に対する取付位置を左右方向に変化させることができる。
【００４７】
一般に、紙幣の大きさは国や地域によって異なっており、また１の国や地域においても、金種により紙幣の大きさが相違することが多い。そこで紙幣処理装置１は、入金口１３を含む各部分において、各国や地域で使用される紙幣のうち最大の紙幣から最小の紙幣まで対応し得るよう設計されている。しかしながら紙幣処理装置１では、搬送部２５等に設けられたローラやベルト等の配置の制約により、紙幣における長手方向の中央を、搬送路における幅方向の中央に極力合わせることが望ましい。
【００４８】
そこで入金口１３は、その製造時や設置時等に、筐体３０に対する可動側板３１及び３２の左右方向に関する取付位置が調整される。具体的に可動側板３１及び３２は、収容空間３０Ｓにおける左右方向の長さを、紙幣処理装置１が設置される国や地域において使用される紙幣のうち長手方向の長さが最も大きい紙幣（以下これを最長紙幣と呼ぶ）の当該長さよりも僅かに大きくするよう、筐体３０に取り付けられる。これにより入金口１３は、収容空間３０Ｓに投入される紙幣を、可能な限り中央に寄せることができる。
【００４９】
収容空間３０Ｓの前方には、板面を前後に向けた板状のビルプレス３３が設けられている。このビルプレス３３は、後側に形成された後側面３３Ａにより収容空間３０Ｓの前端を規定している。さらにビルプレス３３は、図示しないビルプレス駆動部により、収容空間３０Ｓの底面３０Ｂに沿って前後に移動する。このときビルプレス３３は、収容空間３０Ｓにおける前後方向の長さを変化させることになる。
【００５０】
一方、収容空間３０Ｓの下方、すなわち底面３０Ｂよりも下側には、細長い円柱状の回転軸３４（図５（Ａ））がその中心軸を左右方向に向けるように配置されている。回転軸３４は、図示しない軸受により回転可能に支持されると共に、図示しないモータから駆動力が伝達される。
【００５１】
回転軸３４には、４個のフィードローラ３５が挿通されている。フィードローラ３５は、中心軸を左右方向に向けた扁平な円柱状に形成されており、回転軸３４を中心として当該回転軸３４と一体に回転する。また、収容空間３０Ｓの底面３０Ｂ及び取込口３０Ｅにおける後側の内側面には、フィードローラ３５を露出させるための孔部がそれぞれ形成されている。
【００５２】
収容空間３０Ｓの後下方、すなわち回転軸３４の後方であって取込口３０Ｅよりも後側には、当該回転軸３４と同様に細長い円柱状でなる回転軸３６がその中心軸を左右方向に向けて配置されている。この回転軸３６は、回転軸３４と同様、図示しない軸受により回転可能に支持されると共に、図示しないモータから駆動力が伝達される。
【００５３】
回転軸３６には、２個のゲートローラ３７及び２個のサブフィードローラ３８が挿通されている。ゲートローラ３７は、中心軸を左右方向に向けた円柱状に形成されており、回転軸３６を中心として当該回転軸３６と一体に回転する。また、取込口３０Ｅにおける前側の内側面には、ゲートローラ３７を露出させるための孔部が形成されている。
【００５４】
またゲートローラ３７は、その周側面に周方向に沿った２本の溝が形成されており、各溝をフィードローラ３５と対向させるよう、左右方向の位置が調整されている。因みに回転軸３６は、ゲートローラ３７の各溝にフィードローラ３５の一部を僅かに入り込ませるよう、その位置が調整されている。このゲートローラ３７の周側面は、全体的に円滑に仕上げられて紙幣に対する摩擦力が抑えられているものの、その一部分に、紙幣に対する摩擦力が格段に高められた高摩擦部３７Ｒが形成されている。
【００５５】
サブフィードローラ３８は、フィードローラ３５と同様、中心軸を左右方向に向けた扁平な円柱状に形成されており、回転軸３６を中心として当該回転軸３６と一体に回転する。
【００５６】
収容空間３０Ｓの後方、すなわち後面３０Ｃよりも後側であって回転軸３６の上方には、回転軸３４及び３６と同様に細長い円柱状でなる回転軸３９がその中心軸を左右方向に向けて配置されている。この回転軸３９は、回転軸３４及び３６と同様、図示しない軸受により回転可能に支持されると共に、図示しないモータから駆動力が伝達される。因みに回転軸３９は、回転軸３６と同期して回転するようになされている。
【００５７】
回転軸３９には、４個のピッカローラ４０が互いに間隔を空けるようにして挿通されている。ピッカローラ４０は、中心軸を左右方向に向けた扁平な円柱状に形成されており、回転軸３９を中心として当該回転軸３９と一体に回転する。またピッカローラ４０は、ゲートローラ３７と同様、その周側面が円滑に仕上げられて紙幣に対する摩擦力が抑えられると共に、その周側面における一部分に、紙幣に対する摩擦力が格段に高められた高摩擦部４０Ｒが形成されている。この高摩擦部４０Ｒは、ピッカローラ４０の周側面よりも外方へ突出している。
【００５８】
一方、収容空間３０Ｓの後面３０Ｃには、ピッカローラ４０を露出させるための孔部が形成されている。因みに回転軸３９は、ピッカローラ４０の後端部分をこの孔部から収容空間３０Ｓ内に突出させるよう、その位置が調整されている。
【００５９】
また、フィードローラ３５、ゲートローラ３７及びサブフィードローラ３８の下方には、取込口３０Ｅを通って送られてきた紙幣を引き続き案内する搬送ガイド４１及び４２が設けられている。搬送ガイド４１及び４２は、前後方向に隙間を空けて配置されており、この隙間を紙幣の搬送路としている。
【００６０】
かかる構成により入金口１３は、端末装置３（図１）から所定の入金指示を受けた後、収容空間３０Ｓに紙幣が投入された上で表示操作部１５（図２）に対し所定の取込操作がなされると、制御部１１（図３）の制御に基づき、紙幣を取り込む取込動作を開始する。
【００６１】
具体的に入金口１３は、まずビルプレス３３を可能な限り後方へ移動させていく。このとき収容空間３０Ｓ内の紙幣は、その下辺を当該収容空間３０Ｓの底面３０Ｂに沿って後方向へ摺動させながら、後方へ押し進められていく。やがて収容空間３０Ｓ内の紙幣は、収容空間３０Ｓ内における最も後ろ寄りに位置し、そのうち最も後側の紙幣の後面をピッカローラ４０に押し付けた状態とする。
【００６２】
また入金口１３は、回転軸３９、３６及び３４を図５（Ａ）における反時計方向に回転させることにより、ピッカローラ４０、ゲートローラ３７、サブフィードローラ３８及びフィードローラ３５をいずれも反時計方向に回転させる。
【００６３】
ピッカローラ４０及びゲートローラ３７は、高摩擦部４０Ｒ及び３７Ｒが収容空間３０Ｓ内における最後面の紙幣と当接するときだけ、当該紙幣に対し下方向へ向かう力を作用させ、取込口３０Ｅ内を下方へ進行させる。
【００６４】
このとき収容空間３０Ｓ内における後から２枚目以降の紙幣は、最後面の紙幣との摩擦により取込口３０Ｅ内を下方へ進行しようとするものの、フィードローラ３５とゲートローラ３７との隙間が極めて狭く、且つ前後方向に入り組んでいるため、堰き止められて収容空間３０Ｓ内に残る。この結果、最後面の紙幣のみが分離されて取込口３０Ｅ内を下方へ進行し、さらに搬送ガイド４１及び４２の間の搬送路を下方へ進行して、搬送部２５（図３）に受け渡される。
【００６５】
またピッカローラ４０及びゲートローラ３７は、高摩擦部４０Ｒ及び３７Ｒ以外の摩擦力が低い周側面が最後面の紙幣と当接している間は、滑り続けることにより、当該紙幣を下方へは進行させない。このためピッカローラ４０及びゲートローラ３７は、紙幣同士の間隔を空けながら、順次分離していくことができる。
【００６６】
このように入金口１３は、収容空間３０Ｓ内に紙幣が投入されると、ビルプレス３３により紙幣を後方へ押し付け、１枚ずつに分離して取り込む。
【００６７】
［３．異物回収トレイの構成］
ところで入金口１３内における収容空間３０Ｓの下方における前寄りには、当該収容空間３０Ｓの底面３０Ｂと隣接する位置に取付空間３０Ｔ（図５（Ａ））が形成されている。取付空間３０Ｔは、直方体状であり、収容空間３０Ｓと比較して、前後方向、左右方向及び上下方向のいずれも小さくなっている。
【００６８】
取付空間３０Ｔには、図４に示したように、また図５（Ａ）と対応する断面図を図５（Ｂ）に示すように、異物回収トレイ５０が装着される。この異物回収トレイ５０は、図５（Ａ）に示したように、取付空間３０Ｔから取り外すこともできる。
【００６９】
取付空間３０Ｔの下側には、異物回収トレイ５０が装着された際に支持する支持部材３０Ｊが設けられている。また支持部材３０Ｊにおける左右のほぼ中央には、小さな直方体状でなるトレイ検知部４３が設けられている。このトレイ検知部４３は、例えば機械式のスイッチでなり、異物回収トレイ５０が取付空間３０Ｔに装着されたときのみ「オン」となり、それ以外のときは「オフ」となる。
【００７０】
またトレイ検知部４３は、制御部１１（図３）と電気的に接続されている。このため制御部１１は、トレイ検知部４３が「オン」又は「オフ」のいずれであるかを取得し、その取得結果を基に、取付空間３０Ｔに異物回収トレイ５０が装着されているか否かを検知することができる。
【００７１】
異物回収トレイ５０は、図６に斜視図を示すように、全体的に中空の直方体状に形成されており、上面が開放されている。具体的に異物回収トレイ５０は、底部分を形成する底面板５１を中心に構成されている。底面板５１は、上下に薄く左右に長い薄板状に形成されているものの、図５（Ｂ）に示したように、その中央付近に上方へ突出した部分が形成されており、トレイ検知部４３との干渉を回避するようになっている。
【００７２】
また底面板５１は、後辺における中央の約１／３の範囲において、前方へ抉られるように切り欠かれている。これにより底面板５１は、異物回収トレイ５０が取付空間３０Ｔに装着された際に、フィードローラ３５（図４及び図５）との干渉を回避することができる。
【００７３】
底面板５１の前端には、上方に向けて前面板５２が垂設されている。前面板５２は、前後方向に薄く左右方向に長い板状に形成されており、上端に複数の矩形状の切り欠きが離散的に形成されている。
【００７４】
底面板５１の後端には、上方に向けて後面板５３が垂設されている。後面板５３は、前後方向に薄く左右方向に長い板状に形成されているものの、底面板５１の切り欠きに合わせるように、前後に屈曲されている。また後面板５３の上端には、前面板５２と同様に複数の矩形状の切り欠きが離散的に形成されている。
【００７５】
底面板５１の左端には、上方に向けて左面板５４が垂設されている。左面板５４は、左右方向に薄いほぼ正方形の板状に形成されているものの、周側部分及び後下側の約１／４の部分を残して大きく切り欠かれている。すなわち左面板５４のうち後上側には、左右方向に貫通する大きな矩形状の貫通孔５４Ｈが穿設されている。また左面板５４のうち前側の約半分の範囲には、左右方向に貫通する大きな長方形状の孔が穿設された上で、この孔を遮るように固定部６１（詳しくは後述する）が設けられている。
【００７６】
底面板５１の右端には、上方に向けて右面板５５が垂設されている。右面板５５は、左面板５４と左右対称に形成されており、後上側に左右方向に貫通する大きな矩形状の貫通孔５５Ｈが穿設されると共に、前側の約半分の範囲に固定部６２（詳しくは後述する）が設けられている。
【００７７】
さらに異物回収トレイ５０内には、内部の空間（以下これを異物回収空間５０Ｓと呼ぶ）を左右方向に区切るように、４枚の支持体５６が設けられている。支持体５６は、左面板５４及び右面板５５と同様、左右方向に薄いほぼ正方形の板状に形成されているものの、貫通孔５４Ｈ及び５５Ｈのような孔部は穿設されておらず、異物回収空間５０Ｓをほぼ５等分に区切っている。すなわち支持体５６の上面は、上方から見て、ビルプレス３３（図４）により紙幣が移動される方向である前後方向を長手方向とする長方形状となっている。
【００７８】
これを換言すれば、異物回収トレイ５０の上面は、前面板５２、後面板５３、左面板５４、右面板５５及び支持体５６の上辺を残すようにして、上下に貫通する大きな矩形状の孔が左右方向に並ぶように５箇所に穿設された状態となっている。
【００７９】
また、異物回収トレイ５０における前面板５２、後面板５３、左面板５４、右面板５５及び支持体５６の各上辺は、一部の切り欠かれた部分を除き、いずれも同等の高さとなっている。このため異物回収トレイ５０は、取付空間３０Ｔに装着された際に（図５（Ｂ））、底面板５１を支持部材３０Ｊと当接させることにより、支持体５６等の上辺を底面３０Ｂのうち取付空間３０Ｔよりも前側及び後側の部分（以下それぞれ前側底面３０ＢＦ及び後側底面３０ＢＲと呼ぶ）と同等の高さに合わせる。
【００８０】
このとき異物回収トレイ５０は、その上面部分、すなわち前面板５２、後面板５３、左面板５４、右面板５５及び支持体５６の各上辺を、収容空間３０Ｓの底面３０Ｂの一部とすることができる。すなわち異物回収トレイ５０は、その上面部分により、収容空間３０Ｓ内に投入された紙幣の下辺を支持することができる。
【００８１】
かかる構成により異物回収トレイ５０は、収容空間３０Ｓ内に紙幣が投入された際、当該紙幣と共に効果やクリップのような異物が誤って投入されたとしても、紙幣を落下させずに収容空間３０Ｓ内に止めながら、この異物のみを上面に形成された大きな矩形状の孔を介して、すなわち支持体５６同士の間又は支持体５６と左面板５４若しくは右面板５５との間から、異物回収空間５０Ｓ内に落下させることができる。
【００８２】
ここで図７に示すように、紙幣処理装置１が設置される国や地域において使用される紙幣のうち長手方向の長さが最も小さい紙幣を最短紙幣ＢＬＳとし、この最短紙幣ＢＬＳにおける長手方向の長さの１／４を長さＬ２とする。異物回収トレイ５０における支持体５６同士の間隔、及び当該支持体５６と左面板５４又は右面板５５との間隔を長さＬ１とすると、この長さＬ１は、長さＬ２よりも短くなっている。
【００８３】
このため異物回収トレイ５０は、仮に最短紙幣ＢＬＳが長辺方向４等分されるように折り畳まれて見かけ上の長さが長さＬ２程度となった状態で収容空間３０Ｓ内に投入されたとしても、この最短紙幣ＢＬＳを異物回収空間５０Ｓ内に落下させることなく、収容空間３０Ｓ内に位置させることができる。
【００８４】
また異物回収トレイ５０は、取付空間３０Ｔに取り付けられた状態において、操作者Ｍ（図１）等により取り外される際、支持体５６を指先で挟持させることにより、容易に持ち上げさせることもできる。
【００８５】
ところで前面板５２には、上端付近における左右に離隔した６箇所から、前方へ向けて６本の受渡突起５７が立設されている。前面板５２における左右方向に関する受渡突起５７の立設位置は、左面板５４、右面板５５及び４枚の支持体５６の位置とそれぞれ一致している。
【００８６】
ここで図４におけるＡ１−Ａ２断面である図５（Ｂ）に加えて、Ｂ１−Ｂ２断面及びＣ１−Ｃ２断面の一部をそれぞれ図８及び図９に示すように、受渡突起５７は、その上面が前面板５２、左面板５４及び支持体５６等の上面と同一平面内に位置している。このため受渡突起５７は、前面板５２、左面板５４及び支持体５６等と同様、異物回収トレイ５０が取付空間３０Ｔに装着された際に、その上面を底面３０Ｂの一部とすることができる。
【００８７】
さらに受渡突起５７は、その上面における前端近傍に、上面に対し前側を下げるよう傾斜された傾斜面５７Ｓが形成されている。この傾斜面５７Ｓは、上面に対する傾斜角が例えば約３０度となっている。一方、筐体３０の前側底面３０ＢＦには、受渡突起５７と対応する形状の窪みが形成されており、異物回収トレイ５０が取付空間３０Ｔ内に取り付けられた際に、この窪みの中に受渡突起５７を位置させる。
【００８８】
このため受渡突起５７は、異物回収トレイ５０が取付空間３０Ｔ内に取り付けられた際に、筐体３０の前側底面３０ＢＦと前面板５２との境界部分に掛け渡され、且つその上面を収容空間３０Ｓの底面３０Ｂと同等の高さに合わせる。これにより受渡突起５７は、前側底面３０ＢＦと前面板５２との境界部分に紙幣が落下することを防止できる。
【００８９】
また受渡突起５７は、ビルプレス３３により紙幣が後方へ移動される際に、当該紙幣の下辺を前側底面３０ＢＦから前面板５２及び支持体５６等の上面に受け渡す際に、その高さを殆ど変化させることなく、円滑に進行させることができるので、当該紙幣の下辺が前面板５２の上辺等に引っかかることを未然に防止できる。
【００９０】
一方、後面板５３の上端付近における左右の２箇所からは、後方へ向けて受渡突起５８が立設されている。後面板５３における左右方向に関する受渡突起５８の立設位置は、左右方向に並んだ４枚の支持体５６のうち外方の２枚の位置とそれぞれ一致している。因みに受渡突起５８は、受渡突起５７と前後対称に形成されており、後端近傍に傾斜面５８Ｓが形成されている。
【００９１】
また筐体３０の後側底面３０ＢＲには、前側底面３０ＢＦと同様、受渡突起５８と対応する形状の窪みが形成されており、異物回収トレイ５０が取付空間３０Ｔ内に取り付けられた際に、この窪みの中に受渡突起５８を位置させる。
【００９２】
このため受渡突起５８は、異物回収トレイ５０が取付空間３０Ｔ内に取り付けられた際に、筐体３０の後側底面３０ＢＲと後面板５３との境界部分に掛け渡され、且つその上面を収容空間３０Ｓの底面３０Ｂと同等の高さに合わせる。これにより受渡突起５８は、受渡突起５７の場合と同様、後面板５３と後側底面３０ＢＲとの境界部分に紙幣が落下することを防止でき、且つ紙幣を円滑に移動させることができる。
【００９３】
さらに後面板５３には、上端付近における左右の中央近傍に、互いに離隔した４箇所から、後方へ向けて４本のローラ受渡突起５９が立設されている。後面板５３における左右方向に関するローラ受渡突起５９の立設位置は、図４に示したように、フィードローラ３５の位置とそれぞれ対応している。
【００９４】
ローラ受渡突起５９は、図５（Ｂ）に断面を示したように、受渡突起５８と比較して、全体的に類似した形状となっているものの、前後方向の長さがより長くなっている。またローラ受渡突起５９の先端近傍には、傾斜面５８Ｓと同様の傾斜面５９Ｓが形成されている。
【００９５】
このためローラ受渡突起５９は、異物回収トレイ５０が取付空間３０Ｔ内に取り付けられた際に、その上面を収容空間３０Ｓの底面３０Ｂと同等の高さに合わせ、且つフィードローラ３５の前上方を覆うことができる。これによりローラ受渡突起５９は、収容空間３０Ｓ内の紙幣がフィードローラ３５に巻き込まれてしまうことを防止できる。
【００９６】
ところで筐体３０は、図４におけるＤ１−Ｄ２断面図を図１０に示すように、収容空間３０Ｓの下方における取付空間３０Ｔの左側に異物案内空間３０Ｕを形成している。異物案内空間３０Ｕは、上方の収容空間３０Ｓとの間に何ら遮蔽物が設けられておらず、連通されている。また異物案内空間３０Ｕ内には、左右の中央側、すなわち取付空間３０Ｔ側が低くなるよう傾斜された傾斜部４５が形成されている。
【００９７】
一方、可動側板３１は、筐体３０に対する取付位置が変更される場合、右側面３１Ａの移動範囲が最内位置Ｐ１及び最外位置Ｐ２の間となる。これに対し異物案内空間３０Ｕ及び傾斜部４５は、その左端が最外位置Ｐ２よりも左側（すなわち外側）に位置しており、且つその右端が最内位置Ｐ１よりも右側（すなわち内側）に位置している。換言すれば、可動側板３１の右側面３１Ａは、当該可動側板３１の取付位置に拘わらず、常に異物案内空間３０Ｕ及び傾斜部４５の上方に位置している。
【００９８】
取付空間３０Ｔに異物回収トレイ５０が装着されると、異物案内空間３０Ｕは、当該異物回収トレイ５０の左面板５４に形成された貫通孔５４Ｈを介して、異物回収空間５０Ｓとも連通される。この状態で収容空間３０Ｓ内から異物案内空間３０Ｕ内へ異物が落下してくると、この異物は、傾斜部４５の上面に沿って右下方へ案内されていき、貫通孔５４Ｈを介して異物回収空間５０Ｓ内に到達する。
【００９９】
このように傾斜部４５は、収容空間３０Ｓから異物案内空間３０Ｕへ異物が落下してくると、傾斜を利用してこの異物を貫通孔５４Ｈから異物回収空間５０Ｓ内へ案内することができる。
【０１００】
また収容空間３０Ｓの下方における取付空間３０Ｔの右側には、異物案内空間３０Ｕと左右対称な異物案内空間３０Ｖが形成されている。この異物案内空間３０Ｖには、傾斜部４５と左右対称な傾斜部４６が形成されている。このため傾斜部４６は、傾斜部４５と同様、収容空間３０Ｓから異物案内空間３０Ｖへ異物が落下してくると、傾斜を利用してこの異物を貫通孔５５Ｈから異物回収空間５０Ｓ内へ案内することができる。
【０１０１】
因みに可動側板３１と左右対称な可動側板３２は、左側面３２Ａの移動範囲が最内位置Ｐ３及び最外位置Ｐ４の間となる。これに対し異物案内空間３０Ｖ及び傾斜部４６は、その右端が最外位置Ｐ４よりも右側（すなわち外側）に位置しており、且つその左端が最内位置Ｐ３よりも左側（すなわち内側）に位置している。すなわち可動側板３２の左側面３２Ａは、当該可動側板３２の取付位置に拘わらず、常に異物案内空間３０Ｖ及び傾斜部４６の上方に位置している。
【０１０２】
ところで、異物回収トレイ５０における左面板５４の前側に設けられた固定部６１は、図９に破線で示したように、左面板５４の上部における前寄りの部分に対し、下方に吊り下げられるように取り付けられている。
【０１０３】
この固定部６１は、図１０の一部を拡大した図１１（Ａ）に示すように、左面板５４の上部から内側（すなわち右側）に向けて短く伸びた接続部６１Ａと、当該接続部６１Ａから下方へ底面板５１から僅かに離れた高さまで伸びた腕部６１Ｂと、当該腕部６１Ｂの下端から左方へ左面板５４の左面と同等の位置まで伸びた端部６１Ｃとを有している。
【０１０４】
端部６１Ｃの上面には、上方へ突出するように直方体状の中間支持部６１Ｄが形成されている。中間支持部６１Ｄは、左右方向の長さが端部６１Ｃと同等の小さな直方体となっている。この中間支持部６１Ｄの左側面には、左面板５４の左面よりも左方へ突出した突出部６１Ｅが接合されている。
【０１０５】
突出部６１Ｅは、中心軸を前後方向に向けた三角柱状に形成されており、その一面を中間支持部６１Ｄの左側面と接合させることにより、残りの２側面を左斜め上向きの上傾斜面６１Ｆ及び左斜め下向きの下傾斜面６１Ｇとしている。また上傾斜面６１Ｆ及び下傾斜面６１Ｇの接合部分には頂部６１Ｈが形成されている。
【０１０６】
ここで固定部６１は、例えば樹脂材料により構成されており、加えられた外力に応じて弾性変形する。具体的に固定部６１は、突出部６１Ｅに対し右方向へ向かう外力が作用すると、主に腕部６１Ｂを湾曲させて当該腕部６１Ｂの下側を右方向へ変位又は回動させる。また固定部６１は、この外力が開放されると、弾性力の作用により腕部６１Ｂの下側を左方向へ変位又は回動させて、元の形状（図１１（Ａ））に戻す。
【０１０７】
一方、図１１（Ｂ）に示すように、筐体３０における異物案内空間３０Ｕと取付空間３０Ｔとの境界付近、すなわち傾斜部４５の右端には、当該傾斜部４５の先端が下方へ折れ曲がったような形状の被係合部４７が形成されている。
【０１０８】
被係合部４７は、その上面に傾斜部４５の上面から継続して右側（すなわち内側）が低くなるよう傾斜された上傾斜面４７Ａが形成され、その右面にほぼ垂直な垂直面４７Ｂが形成され、その下面に右側（すなわち内側）が高くなるよう傾斜された下傾斜面４７Ｃが形成されている。この垂直面４７Ｂ及び下傾斜面４７Ｃは、頂部４７Ｄにおいて接合されている。
【０１０９】
因みに異物回収トレイ５０における右面板５５の前側に設けられた固定部６２は、固定部６１と左右対称に形成されており、突出部６１Ｅと左右対称な突出部６２Ｅを有している。また筐体３０における取付空間３０Ｔの右側部分における異物案内空間３０Ｖとの境界付近、すなわち傾斜部４６の左端には、被係合部４７と左右対称な被係合部４８が形成されている。
【０１１０】
かかる構成により、異物回収トレイ５０が筐体３０の取付空間３０Ｔに取り付けられる場合、当該異物回収トレイ５０は、操作者Ｍ（図１）等により、取付空間３０Ｔの上方において概ね位置を合わせられ、下方へ移動される。
【０１１１】
この過程において、異物回収トレイ５０の固定部６１は、まず図１２（Ａ）に示すように、突出部６１Ｅの下傾斜面６１Ｇを被係合部４７の上傾斜面４７Ａに当接させる。ここで異物回収トレイ５０に対し下方へ向かう力が加えられると、突出部６１Ｅは、左面板５４よりも左方へ突出しているため、被係合部４７の上傾斜面４７Ａに対し下傾斜面６１Ｇないし頂部６１Ｈを右斜め下方へ滑らせながら、当該被係合部４７に対し左方向へ向かう力を加えようとする。
【０１１２】
このとき固定部６１は、被係合部４７が変位しないため、当該被係合部４７から突出部６１Ｅを介して右方向への力を受け、これにより腕部６１Ｂを湾曲させながら、当該突出部６１Ｅを含む固定部６１の下側部分を右方向へ移動又は回動させていく。すなわち突出部６１Ｅは、左面板５４の左面よりも右側へ徐々に移動していく。
【０１１３】
異物回収トレイ５０が引き続き下方へ押し下げられると、突出部６１Ｅは、頂部６１Ｈを被係合部４７の上傾斜面４７Ａにおける右端まで滑らせた後、図１２（Ｂ）に示すように、当該頂部６１Ｈを垂直面４７Ｂに当接させながら下方へ摺動させていく。このとき固定部６１は、腕部６１Ｂを湾曲させたままとなり、突出部６１Ｅの頂部６１Ｈから被係合部４７の垂直面４７Ｂに弾性力を作用させ続ける。
【０１１４】
異物回収トレイ５０がさらに下方へ押し下げられると、突出部６１Ｅは、頂部６１Ｈを垂直面４７Ｂの下端まで到達させた後、腕部６１Ｂの弾性力により、上傾斜面６１Ｆを被係合部４７の頂部４７Ｄに摺動させながら、徐々に左方向へ移動又は回動していく。
【０１１５】
その後、底面板５１が支持部材３０Ｊに当接すると、異物回収トレイ５０は、取付空間３０Ｔに装着された状態となる。このとき突出部６１Ｅは、図１２（Ｃ）に示すように、腕部６１Ｂを元の形状に戻させ、左面板５４よりも左方へ突出した状態に戻ると共に、上傾斜面６１Ｆを被係合部４７の下傾斜面４７Ｃに当接させた状態となる。
【０１１６】
この状態において、異物回収トレイ５０を上方に持ち上げるには、上方に向けてある程度の力を加えることにより突出部６１Ｅの上傾斜面６１Ｆを被係合部４７の頂部４７Ｄに摺動させながら、右方向へ移動又は回動させること、すなわち突出部６１Ｅが被係合部４７と干渉しないように腕部６１Ｂを湾曲させることが必要となる。
【０１１７】
このように固定部６１は、異物回収トレイ５０が取付空間３０Ｔに装着された状態（図１２（Ｃ））において、突出部６１Ｅを被係合部４７に係合させている。このため固定部６１は、異物回収トレイ５０に上方へ向かうある程度大きな力が加えられない限り、当該異物回収トレイ５０を取付空間３０Ｔに装着された状態に維持すること、すなわち装着された位置に固定することができる。
【０１１８】
因みに固定部６２は、異物回収トレイ５０が取付空間３０Ｔ内を下方へ押し下げられる間、固定部６１と左右対称に動作することにより、突出部６２Ｅを被係合部４８に摺動させた後、当該突出部６２Ｅを被係合部４８に係合させて、当該異物回収トレイ５０を取付空間３０Ｔに固定することができる。
【０１１９】
一方、異物回収トレイ５０が取付空間３０Ｔ内に装着された状態（図１２（Ｃ））において、当該異物回収トレイ５０に上方へ向かう力が加えられた場合、固定部６１は、突出部６１Ｅの上傾斜面６１Ｆを被係合部４７の頂部４７Ｄに摺動させながら右方向へ移動又は回動させると共に、腕部６１Ｂを湾曲させていく。
【０１２０】
その後固定部６１は、異物回収トレイ５０が上方へ持ち上げられると、図１２（Ｂ）に示したように、突出部６１Ｅの頂部６１Ｈを垂直面４７Ｂに当接させながら上方へ摺動させ、やがて図１２（Ａ）に示したように、腕部６１Ｂの湾曲を戻して突出部６１Ｅを被係合部４７の上方に位置させる。
【０１２１】
このように固定部６１は、異物回収トレイ５０が取付空間３０Ｔに対し上下方向に移動される際に、腕部６１Ｂを適宜湾曲させながら、突出部６１Ｅを被係合部４７と当接及び摺動させるようになされている。
【０１２２】
［４．入金処理手順］
ところで紙幣処理装置１の制御部１１は、入金処理を行う際、異物回収トレイ５０の装着状態を確認した上で、紙幣の分離処理を行うようになっている。具体的に制御部１１は、端末装置３（図１）から入金処理の指示を受け付けると、図１３に示す入金処理手順ＲＴ１を開始し、ステップＳＰ１へ移る。
【０１２３】
ステップＳＰ１において制御部１１は、トレイ検知部４３からの検知信号を基に、異物回収トレイ５０が取付空間３０Ｔに装着されているか否かを判定する。ここで否定結果が得られると、このことは収容空間３０Ｓに紙幣が投入されたとしても、当該紙幣を取付空間３０Ｔに落下させてしまい正常に分離できない恐れがあることを表している。このとき制御部１１は、次のステップＳＰ２へ移る。
【０１２４】
ステップＳＰ２において制御部１１は、表示操作部１５（図２）に「異物回収トレイが未装着です」のようなメッセージを表示してこのことを操作者Ｍ（図１）に通知し、異物回収トレイ５０の装着を促した上で、再度ステップＳＰ２を繰り返すことにより当該異物回収トレイ５０の装着を待ち受ける。
【０１２５】
一方、ステップＳＰ１において肯定結果が得られると、このことは収容空間３０Ｓに紙幣が投入されたとしても取付空間３０Ｔに落下させる恐れがなく、正常に分離処理を行い得ることを表している。このとき制御部１１は、次のステップＳＰ３へ移る。
【０１２６】
ステップＳＰ３において制御部１１は、入金口１３に対し、ビルプレス３３を後方へ移動させると共に各ローラを回転させることにより分離処理を行わせた後、次のステップＳＰ４へ移って入金処理手順ＲＴ１を終了する。
【０１２７】
［５．効果等］
以上の構成において、紙幣処理装置１の入金口１３は、収容空間３０Ｓの下方に取付空間３０Ｔを設け、上面が開放された異物回収トレイ５０をこの取付空間３０Ｔに装着するようにした。
【０１２８】
このため入金口１３は、収容空間３０Ｓ内に誤って異物が投入された際、この異物を異物回収トレイ５０の異物回収空間５０Ｓ内に落下させることができる。この場合、入金口１３は、操作者Ｍ（図１）等によって取付空間３０Ｔから異物回収トレイ５０を取り外させることにより、この異物を容易に回収させることができる。
【０１２９】
これにより紙幣処理装置１は、従来の紙幣処理装置１０１（図１４）のように筐体の最も手前側に入金口を配置する必要がなくなるため、出金口を手前側に配置する等、使い勝手を高めた配置を実現することができる。
【０１３０】
特に異物回収トレイ５０は、前面板５２及び後面板５３を結ぶ前後方向に沿って複数の支持体５６を離散的に配置し、且つ当該支持体５６の上面を前面板５２及び後面板５３等の上面と同等の高さとした（図６）。
【０１３１】
このため異物回収トレイ５０は、取付空間３０Ｔに装着された際に、支持体５６の上面を収容空間３０Ｓの底面３０Ｂと同等の高さに合わせて当該底面３０Ｂの一部とすることができる（図８）。これにより異物回収トレイ５０は、収容空間３０Ｓ内に投入された紙幣の下辺を支持体５６の上面により支持でき、当該紙幣を異物回収空間５０Ｓ内に落下させることなく、収容空間３０Ｓ内に止めることができる。
【０１３２】
これを換言すれば、異物回収トレイ５０は、取付空間３０Ｔに装着された際に、その上面を収容空間３０Ｓにおける底面３０Ｂの一部として機能させることができるので、当該異物回収トレイ５０の他に、取付空間３０Ｔを覆うと共に底部３０Ｂの一部をなすような他の部品を別途設ける必要が無い。
【０１３３】
このため入金口１３では、取付空間３０Ｔに異物回収トレイ５０を装着させるだけで収容空間３０Ｓに紙幣を投入可能な状態とすることができ、また収容空間３０Ｓの下方にある異物回収トレイ５０を直接持ち上げさせるだけで、異物回収空間５０Ｓ内に収容された異物を回収させることができる。
【０１３４】
さらに異物回収トレイ５０は、前面板５２及び後面板５３の上端近傍に、左面板５４、右面板５５及び支持体５６等と上面の高さを揃えた受渡突起５７及び５８を複数立設させた（図６）。このため異物回収トレイ５０は、収容空間３０Ｓ内に投入された紙幣をビルプレス３３により後方へ移動させていく際、当該紙幣の下辺を筐体３０の前側底面３０ＢＦから支持体５６等へ円滑に受け渡し、また支持体５６等から後側底面３０ＢＲへ円滑に受け渡すことができる。
【０１３５】
特に受渡突起５７は、左右方向の位置を左面板５４、右面板５５及び支持体５６の位置と一致させるよう配置した（図４、図６）。このため受渡突起５７は、ビルプレス３３により後方へ移動する紙幣を支持体５６へ受け渡す際に、当該紙幣における支持される位置を維持することができるので、安定的に受け渡すことができる。
【０１３６】
ところで異物回収トレイ５０は、取付空間３０Ｔに対する取付が不完全である場合や設計誤差が生じた場合、取付空間３０Ｔに装着された際に、受渡突起５７の上面が筐体３０側における底面３０Ｂよりもやや浮き上がってしまう可能性がある。この場合、異物回収トレイ５０は、収容空間３０Ｓ内に投入された紙幣がビルプレス３３により底面３０Ｂ上を摺動するように後方へ移動する際に、当該紙幣を受渡突起５７の前端に引っかけてしまう可能性が考えられる。
【０１３７】
この点について受渡突起５７は、その上面における前端近傍に傾斜面５７Ｓを形成した（図８）。このため受渡突起５７は、収容空間３０Ｓ内に投入された紙幣が後方へ移動する際に、当該紙幣を最初に傾斜面５７Ｓに沿って徐々に乗り上げさせてから、その上面に沿って摺動させることができるので、前端に引っ掛けさせることなく、円滑に進行させることができる。
【０１３８】
さらに異物回収トレイ５０は、後面板５３におけるフィードローラ３５と対応する位置に、ローラ受渡突起５９をそれぞれ立設させた（図５（Ｂ））。このため異物回収トレイ５０は、フィードローラ３５が回転する際の紙幣の巻き込みを未然に防止できる。
【０１３９】
また入金口１３は、収容空間３０Ｓの底面３０Ｂを手前側が低くなるように傾斜させると共に、比較的前寄りに異物回収トレイ５０を配置した（図５（Ａ））。このため入金口１３では、収容空間３０Ｓの底面３０Ｂにおける比較的後ろ寄りの位置、すなわち後側底面３０ＢＲ上に異物が落下したとしても、傾斜している後側底面３０ＢＲに沿って異物を前方へ滑らせて異物回収トレイ５０の異物回収空間５０Ｓ内に落下させることができる。
【０１４０】
因みに入金口１３では、仮に前側底面３０ＢＦに異物が落下した場合には、入金処理の開始後にビルプレス３３を後方へ移動させる際に、当該異物を紙幣と共に後方へ摺動させていき、異物回収トレイ５０の上方に到達した時点で異物回収空間５０Ｓ内に落下させることができる。
【０１４１】
ところで入金口１３では、上述したように、投入される紙幣の大きさに合わせて、筐体３０に対する可動側板３１及び３２の取付位置が左右方向に調整される。この可動側板３１及び３２は、筐体３０に対する取付位置が調整された後、図示しない取付ねじ等により当該筐体３０に固定され、その位置を容易に変化させないようになっている。
【０１４２】
このため入金口１３では、可動側板３１及び３２が最も内側に位置しており、右側面３１Ａが最内位置Ｐ１にあり左側面３２Ａが最内位置Ｐ３にあるときにも、当該可動側板３１及び３２と干渉することなく異物回収トレイ５０を取付空間３０Ｔから取り外す必要がある。
【０１４３】
そこで異物回収トレイ５０は、左右方向の長さを比較的短くし、左面板５４及び右面板５５を最内位置Ｐ１及びＰ３よりも内側にそれぞれ位置させることにより、可動側板３１及び３２の取付位置に拘わらず当該可動側板３１及び３２との干渉を防止することができる。
【０１４４】
その一方で入金口１３では、可動側板３１及び３２が最も外側に位置しており、右側面３１Ａが最外位置Ｐ２にあり左側面３２Ａが最外位置Ｐ４にあるときに、異物回収トレイ５０よりも左右の外側に落下した異物についても異物回収空間５０Ｓ内に回収することが望ましい。
【０１４５】
そこで筐体３０では、取付空間３０Ｔの左右に、収容空間３０Ｓと連通する異物案内空間３０Ｕ及び３０Ｖを形成すると共に、その下方に傾斜部４５及び４６を形成した。これに応じて異物回収トレイ５０は、左面板５４及び右面板５５に貫通孔５４Ｈ及び５５Ｈをそれぞれ貫通させ、取付空間３０Ｔに装着された際に、異物案内空間３０Ｕ及び３０Ｖと異物回収空間５０Ｓとを連通させるようにした。
【０１４６】
このため入金口１３では、異物回収トレイ５０の左右外方である異物案内空間３０Ｕ及び３０Ｖ内に異物が落下したとしても、これを傾斜部４５及び４６の傾斜面に沿って滑降させて異物回収トレイ５０側へ案内できるので、最終的に異物回収空間５０Ｓ内に収容させることができる。
【０１４７】
すなわち入金口１３では、筐体３０側に異物案内空間３０Ｕ及び３０Ｖ並びに傾斜部４５及び４６を設けると共に、異物回収トレイ５０の左面板５４及び右面板５５に貫通孔５４Ｈ及び５５Ｈを設けたことにより、可動側板３１及び３２の取付位置を左右に変更可能としながら、当該異物回収トレイ５０の着脱機能の確保と左右の広い範囲からの異物の回収とを両立させることができる。
【０１４８】
さらに異物回収トレイ５０は、左端に設けた固定部６１において、腕部６１Ｂを湾曲させて突出部６１Ｅを内側へ移動又は回動させ得るようにし、取付空間３０Ｔに装着される際に、この突出部６１Ｅを筐体３０側の被係合部４７と当接又は摺動させるようにした。また異物回収トレイ５０は、右端に設けた固定部６２についても、固定部６１と左右対称に構成した。
【０１４９】
これにより異物回収トレイ５０は、取付空間３０Ｔの上方から下方へ向けて押し込まれるだけで、突出部６１Ｅ及び６２Ｅを被係合部４７及び４８の下方に位置させて係合させることができ、装着された状態から容易に外れてしまうことが無い。
【０１５０】
その一方で異物回収トレイ５０は、取付空間３０Ｔに装着された状態からある程度の力により上方へ持ち上げられるだけで、突出部６１Ｅ及び６２Ｅと被係合部４７及び４８との係合を容易に解除できるので、操作者Ｍ（図１）に係合状態を解除するための煩わしい作業を行わせる必要が無い。
【０１５１】
また制御部１１は、入金処理（図１３）において、トレイ検知部４３からの検知信号を基に取付空間３０Ｔに異物回収トレイ５０が装着されていることを確認できた場合のみ分離処理を開始するようにした。すなわち紙幣処理装置１は、仮に操作者Ｍが過誤や不注意により異物回収トレイ５０を装着し忘れたまま、端末装置３から入金処理を指示してしまったとしても、当該異物回収トレイ５０が装着されるまでは分離処理を開始しない。
【０１５２】
これにより紙幣処理装置１は、分離処理の開始後に紙幣を取付空間３０Ｔに落下させて後方のピッカローラ４０等に正しく押し付けることができずに分離処理を中断してしまう、といった障害の発生を未然に防止することができる。
【０１５３】
以上の構成によれば、紙幣処理装置１の入金口１３は、収容空間３０Ｓの下方に取付空間３０Ｔを設け、上面が開放された異物回収トレイ５０をこの取付空間３０Ｔに装着するようにした。また異物回収トレイ５０は、前面板５２及び後面板５３を結ぶ前後方向に沿って複数の支持体５６を離散的に配置し、且つ当該支持体５６の上面を前面板５２及び後面板５３等の上面と同等の高さとした。これにより入金口１３は、収容空間３０Ｓ内に誤って異物が投入された際、この異物を異物回収トレイ５０の異物回収空間５０Ｓ内に落下させることができ、また取付空間３０Ｔから異物回収トレイ５０を上方へ持ち上げさせて取り外させることにより、この異物を容易に回収させることができる。
【０１５４】
［６．他の実施の形態］
なお上述した実施の形態においては、異物回収トレイ５０の支持体５６を左右方向に薄い板状とする場合について述べた（図６）。しかしながら本発明はこれに限らず、例えば支持体５６に代えて上面近傍以外を省略した棒状の部材を設ける等、種々の形状でなる支持板を設けても良い。この場合、その上面を前面板５２等と同等の高さの平面状とすることにより、取付空間３０Ｔに取り付けられた際に、収容空間３０Ｓにおける底面３０Ｂの一部として紙幣を摺動させることができる。或いは、異物回収トレイ５０の上面に板状の上面板を取り付け、当該上面板に比較的大きな複数の落下孔を穿設し、その残った部分を支持体としても良い。
【０１５５】
また上述した実施の形態においては、薄板状でなる支持体５６の板面を左右方向に向け、その上面を前後方向を長手方向とする細長い長方形状とする場合について述べた（図４、図６）。しかしながら本発明はこれに限らず、例えば支持体５６の上面を前後方向に対し傾斜させ、或いは湾曲させるようにしても良い。この場合、上面に沿って紙幣を前後方向へ摺動させる際に、当該紙幣が引っ掛かり難い形状であることが望ましい。
【０１５６】
さらに上述した実施の形態においては、支持体５６同士の間隔を、最短紙幣ＢＬＳにおける長手方向の１／４よりも短くした場合について述べた（図７）。しかしながら本発明はこれに限らず、例えば紙幣が長手方向に３等分するように折り畳まれる習慣がある国や地域において、支持体５６同士の間隔を、最短紙幣ＢＬＳにおける長手方向の１／３よりも短くする等、支持体５６同士の間隔を、最短紙幣ＢＬＳにおける長手方向の１／ｎ（ただしｎは２以上の自然数）よりも短くしても良い。またこの場合、異物回収トレイ５０に設ける支持体５６の枚数としては、４枚に限らず、３枚以下や５枚以上としても良く、さらにはその間隔を不等間隔としても良い。
【０１５７】
さらに上述した実施の形態においては、異物回収トレイ５０における受渡突起５７の左右方向に関する立設位置を、左面板５４、右面板５５及び支持体５６の位置と合わせる場合について述べた（図４、図６）。しかしながら本発明はこれに限らず、受渡突起５７を任意の位置に立設しても良い。またその数については、６本に限らず、５本以下や７本以上であっても良い。さらには、受渡突起５７を省略しても良い。受渡突起５８についても同様である。
【０１５８】
さらに上述した実施の形態においては、受渡突起５７の上面を支持体５６等の上面と同じ高さの平面状とし、その前端近傍に傾斜面５７Ｓを形成した場合について述べた（図８）。しかしながら本発明はこれに限らず、例えば受渡突起５７の上面全体を、前面板５２に対する取付部分から前側へ進むに連れて徐々に水平から傾斜角度が大きくなるように湾曲させた形状としても良い。要は、紙幣の下辺を前端や上面に引っ掛けること無く摺動させることができれば良い。受渡突起５８についても同様である。
【０１５９】
さらに上述した実施の形態においては、取付空間３０Ｔに取り付けられた状態における異物回収トレイ５０の左面板５４及び右面板５５を、最内位置Ｐ１及びＰ３（図１０）よりも内側に位置させ、これらに貫通孔５４Ｈ及び５５Ｈを穿設し、さらに取付空間３０Ｔの左右の外方に異物案内空間３０Ｕ及び３０Ｖ並びに傾斜部４５及び４６を設けた場合について述べた。
【０１６０】
しかしながら本発明はこれに限らず、例えば取付空間３０Ｔに取り付けられた状態における異物回収トレイ５０の左面板５４及び右面板５５を、最外位置Ｐ２及びＰ４の外側まで到達させ、貫通孔５４Ｈ及び５５Ｈを省略し、異物案内空間３０Ｕ及び３０Ｖ並びに傾斜部４５及び４６を省略しても良い。この場合、異物回収トレイ５０を着脱する際には、筐体３０から可動側板３１及び３２（図１０）を予め取り外すようにすれば良い。
【０１６１】
さらに上述した実施の形態においては、異物回収トレイ５０に固定部６１及び６２を設け、これらを傾斜部４５及び４６の内側端部に形成した被係合部４７及び４８とそれぞれ係合させることにより、取付空間３０Ｔに装着された異物回収トレイ５０の位置を維持する場合について述べた（図１０、図１１、図１２）。
【０１６２】
しかしながら本発明はこれに限らず、例えば固定部６１及び６２に代えて周知の種々の係合機構を用いても良く、或いは固定部６１及び６２を省略し、異物回収トレイ５０の自重や支持部材３０Ｊの形状等により、取付空間３０Ｔ内における位置を維持するようにしても良い。
【０１６３】
さらに上述した実施の形態においては、取付空間３０Ｔに装着された異物回収トレイ５０を支持する支持部材３０Ｊ（図５（Ａ）、図１０）の上面における左右のほぼ中央に、機械式のスイッチでなるトレイ検知部４３を配置した場合について述べた。しかしながら本発明はこれに限らず、トレイ検知部４３を取付空間３０Ｔ内若しくはその近傍における他の任意の位置に配置するようにしても良い。またトレイ検知部４３としては、機械式のスイッチ以外にも、例えば光学式のセンサや磁気を利用したセンサ等を利用しても良い。この場合、異物回収トレイ５０は、これらのセンサにより検知される部分を有していれば良い。
【０１６４】
さらに上述した実施の形態においては、制御部１１の制御に基づいた入金処理手順ＲＴ１（図１３）において、トレイ検知部４３の検知結果を基に、取付空間３０Ｔに異物回収トレイ５０が装着されていなければ分離処理を開始しないようにした場合について述べた。しかしながら本発明はこれに限らず、例えばトレイ検知部４３を省略し、取付空間３０Ｔに異物回収トレイ５０が装着されているか否かに拘わらず分離処理を開始するようにしても良い。
【０１６５】
さらに上述した実施の形態においては、媒体としての紙幣を取り扱う紙幣処理装置１の入金口１３に本発明を適用する場合について述べた。しかしながらこれに限らず、例えば各種証券や金券、或いは入場券のような紙葉状の媒体、若しくは種々の形状の媒体を取り扱う種々の装置において、当該媒体を取り込む取込口に本発明を適用するようにしても良い。
【０１６６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１６７】
さらに上述した実施の形態においては、筐体としての筐体３０と、取付空間としての取付空間３０Ｔと、異物収容器としての異物回収トレイ５０と、支持体としての支持体５６とによって媒体取込装置としての入金口１３を構成する場合について述べた。しかしながら本発明はこれに限らず、その他種々の構成でなる筐体と、取付空間と、異物収容器と、支持体とによって媒体取込装置を構成するようにしても良い。
【０１６８】
さらに上述した実施の形態においては、筐体としての筐体３０と、取付空間としての取付空間３０Ｔと、異物収容器としての異物回収トレイ５０と、支持体としての支持体５６と、取込部としてのビルプレス３３、フィードローラ３５、ゲートローラ３７及びピッカローラ４０と、制御部としての制御部１１とによって媒体処理装置としての紙幣処理装置１を構成する場合について述べた。しかしながら本発明はこれに限らず、その他種々の構成でなる筐体と、取付空間と、異物収容器と、支持体と、取込部と、制御部とによって媒体処理装置を構成するようにしても良い。
【産業上の利用可能性】
【０１６９】
本発明は、媒体を内部に取り込む取込口を有する種々の装置でも利用できる。
【符号の説明】
【０１７０】
１……紙幣処理装置、３……端末装置、１０……筐体、１１……制御部、１３……入金口、１４……出金口、１５……表示操作部、２５……搬送部、３０……筐体、３０Ｂ……底面、３０Ｊ……支持部材、３０Ｓ……収容空間、３０Ｔ……取付空間、３０Ｕ、３０Ｖ……異物案内空間、３１、３２……可動側板、３３……ビルプレス、３５……フィードローラ、３７……ゲートローラ、３８……サブフィードローラ、４０……ピッカローラ、４３……トレイ検知部、４５、４６……傾斜部、４７、４８……被係合部、５０……異物回収トレイ、５０Ｓ……異物回収空間、５１……底面板、５２……前面板、５３……後面板、５４……左面板、５４Ｈ、５５Ｈ……貫通孔、５５……右面板、５６……支持体、５７、５８……受渡突起、５７Ｓ、５８Ｓ、５９Ｓ……傾斜面、５９……ローラ受渡突起、６１、６２……固定部、６１Ｅ、６２Ｅ……突出部、ＢＬＳ……最短紙幣、Ｐ１、Ｐ３……最内位置、Ｐ２、Ｐ４……最外位置。
【図１】
0006052104.tif 000002
【図２】
0006052104.tif 000003
【図３】
0006052104.tif 000004
【図４】
0006052104.tif 000005
【図５】
0006052104.tif 000006
【図６】
0006052104.tif 000007
【図７】
0006052104.tif 000008
【図８】
0006052104.tif 000009
【図９】
0006052104.tif 000010
【図１０】
0006052104.tif 000011
【図１１】
0006052104.tif 000012
【図１２】
0006052104.tif 000013
【図１３】
0006052104.tif 000014
【図１４】
0006052104.tif 000015